(57)【要約】      （修正有）【課題】使用者の後頭筋を弛緩させ、常時的緊張を抑えることにより、装着時の使用者への外見に大きな影響を与えることなく、頭痛、肩こりを抑えることが可能な、後頭筋弛緩用具を提供する。【解決手段】外後頭隆起下部に掛止める力点部１０と、前頭後頭筋上の頭皮表面に係止され、後頭筋弛緩方向に変位を負荷する作用点部２０と、前記力点部と前記作用点部とを連結し、前記作用点部が負荷する変位を付勢する支点部３０と、を備えることを特徴とする、後頭筋弛緩用具。【選択図】図２
2016193118.tif 000002
【特許請求の範囲】
【請求項１】
使用者の外後頭隆起下部に掛止める力点部と、
前記使用者の後頭筋起始部上の頭皮表面に押接され、後頭筋弛緩方向に変位を負荷する作用点部と、
前記力点部と前記作用点部とを連結し、前記作用点部が負荷する変位を付勢する支点部と、
を備えることを特徴とする、後頭筋弛緩用具。
【請求項２】
前記作用点部は、前記使用者の頭皮表面に係止するための、櫛歯、突起、粘着面から選択される構成を備えることを特徴とする、請求項１記載の後頭筋弛緩用具。
【請求項３】
前記支点部は、弾性部材で構成されることを特徴とする、請求項１または２のいずれか１項記載の後頭筋弛緩用具。
【請求項４】
前記支点部は、ねじりばね、コイルばねから選択されるばねを備えることを特徴とする、請求項１から３のいずれか１項記載の後頭筋弛緩用具。
【発明の詳細な説明】
【技術分野】
【０００１】
本発明は、後頭筋弛緩用具に関する。
【背景技術】
【０００２】
後頭筋は、後頭部を覆う筋肉で、後頭骨の上項線、最上項線を起始とし、帽状腱膜で停止する。また、後頭筋は、顔面神経支配の筋肉であり、前頭筋、上眼瞼挙筋、ミュラー筋と共に開瞼筋を構成する。
【０００３】
通常、上眼瞼挙筋を利用して開瞼するには、上眼瞼挙筋の収縮が、腱膜を介して瞼板前を挙上する必要がある。しかし、例えば花粉症等の影響で瞼を擦る習慣が多い場合、腱膜は瞼板の前面から外れてしまい、上記方法による開瞼を行うことが困難となる。
【０００４】
上記に代わる開瞼方法としては、上眼瞼挙筋とミュラー筋とを一体として収縮させ、瞼板上を挙上する方法が挙げられる。この方法では、ミュラー筋を強く収縮させることで大きな開瞼を行うことができるものの、交感神経支配のミュラー筋を持続的に収縮させる必要があるため、交感神経の緊張が少ない時には、思うように開瞼することができない。また、ミュラー筋機械受容器を強く伸展すると、反射的に後頭前頭筋が反射的、持続的に収縮し、頭痛や肩こりの原因となる。
【０００５】
例えば、外部から開瞼を補助することにより、開瞼時のミュラー筋の緊張、つまり後頭前頭筋の常時的緊張を抑えることができれば、腱膜が外れた患者であっても、開瞼時の頭痛や肩こりを解消乃至改善することができる。本発明者は、上記知見に基づいて、見開き助長具を開発し、これを報告した（特許文献１）。
【先行技術文献】
【特許文献】
【０００６】
【特許文献１】特開平１０−２１６１６４号公報
【発明の概要】
【発明が解決しようとする課題】
【０００７】
上記のような補助具は、使用者の開瞼を補助するという使用目的から、日常的かつ長時間の装着が予定されるため、使用者への負担や日常生活へ影響は少ない方が望ましいところ、特許文献１に記載の技術は、見開きを補助するための作用部を、眼瞼上部に付着させる必要があり、使用者の日常生活への影響が大きいという課題があった。
【０００８】
開瞼時の頭痛、肩こりを解消するために、開瞼補助具を使用する場合、従来の補助具は瞼の近傍に取り付けて瞼を挙上する構成としているため、常時顔の前面に補助具が取り付けられることとなり、外見的に大きな影響があった。本発明者は、後頭部に位置する後頭筋を外的に弛緩させることにより、従来の開瞼補助具を使用する場合と同様の結果が得られるという知見を得て、本発明を完成させるに至った。
【０００９】
即ち本発明は、使用者の後頭筋を弛緩させ、常時的緊張を抑えることにより、装着時の使用者への外見に大きな影響を与えることなく、頭痛、肩こりを抑えることが可能な、後頭筋弛緩用具を提供することを目的とする。
【課題を解決するための手段】
【００１０】
（１）本発明に係る後頭筋弛緩用具は、使用者の外後頭隆起下部に掛止める力点部と、前記使用者の後頭筋起始部上の頭皮表面に押接され、後頭筋弛緩方向に変位を負荷する作用点部と、前記力点部と前記作用点部とを連結し、前記作用点部が負荷する変位を付勢する支点部と、を備えることを特徴とする、後頭筋弛緩用具である。
【００１１】
（２）また、別の本発明は、前記作用点部は、前記使用者の頭皮表面に係止するための、櫛歯、突起、粘着面から選択される構成を備えることを特徴とする、後頭筋弛緩用具である。
【００１２】
（３）また、別の本発明は、前記支点部は、弾性部材で構成されることを特徴とする、後頭筋弛緩用具である。
【００１３】
（４）また、別の本発明は、前記支点部は、ねじりばね、コイルばねから選択されるばねを備えることを特徴とする、後頭筋弛緩用具である。
【００１４】
本発明に係る後頭筋弛緩用具によれば、外部から目立たない箇所に設置された用具によって後頭筋が弛緩され、常時的な筋緊張を防止し、これが原因で発生する頭痛や肩こりを予防、防止することが可能である。
【図面の簡単な説明】
【００１５】
【図１】後頭筋弛緩用具の第一実施例の図である。
【図２】後頭筋弛緩用具の装着イメージ図である。
【図３】後頭筋弛緩用具の第二実施例の図である。
【図４】後頭筋弛緩用具の第三実施例の図である。
【図５】後頭筋弛緩用具の第四実施例の図である。
【図６】後頭筋弛緩用具の第五実施例の図である。
【発明を実施するための形態】
【００１６】
以下に、本発明に係る後頭筋弛緩用具を実施するための形態について説明する。
【００１７】
本発明に係る後頭筋弛緩用具は、外部から変位を負荷することにより後頭筋を弛緩させ、筋緊張による頭痛や肩こりを予防、防止するものである。用具の構成として、外後頭隆起下部に掛止める力点部と、前頭後頭筋上の頭皮表面に係止され、後頭筋弛緩方向に変位を負荷する作用点部と、前記力点部と前記作用点部とを連結し、前記作用点部が負荷する変位を付勢する支点部と、を備える。
【００１８】
本発明に係る後頭筋弛緩用具において、作用点部では、前頭後頭筋上の皮膚に設置され、後頭筋弛緩方向に変位を負荷する。この際、作用点部が係止される部位は、前頭後頭筋上であれば特に制限されないが、外見上の影響を少なくするため、前額部の頭髪生え際から、後頭部までの部位であることが望ましい。また、作用点部と皮膚とのずれを防ぎ、変位を負荷するためには、作用点部は所定の係止手段を用いて、皮膚に係止される必要がある。係止手段としては、作用点部の皮膚接触部に櫛歯を設けて、頭髪に係止する方法や、作用点部に一つまたは複数の突起を設けて、皮膚とのずれを防止する方法、皮膚との接触面を粘着性の部材で構成することで、皮膚に接着する方法が挙げられる。
【００１９】
本発明に係る後頭筋弛緩用具において、力点部では、所定の手段で用具を外後頭隆起下部に掛止めて、前記作用点部からの負荷により、後頭筋を弛緩させる。力点部と外後頭隆起下部の接触部では、用具のずれが防止される構成となっていることが望ましく、例えば、接触面の材料をゴム等にする、あるいは、櫛歯を設ける、任意の数の突起部を設けるなどの構成が挙げられる。
【００２０】
本発明に係る後頭筋弛緩用具において、力点部、支点部のいずれかまたは両方に、振動装置を設けて、マッサージ器具と一体化することも可能である。
【００２１】
本発明に係る後頭筋弛緩用具において、支点部では、前記力点部と前記作用点部とを連結し、あわせて、前記作用点部が負荷する変位力を発生させる構成であることが望ましい。連結する方法としては、例えば、力点部と作用点部とを、棒状、あるいは板状の部材で連結させる構成も可能であり、また、力点部から頭部周囲にそって左右に棒状、もしくは板状の部材を延長させ、側頭部、例えば耳介上部で支持する構成とすることも可能である。
【００２２】
本発明に係る後頭筋弛緩用具において、支点部で変位力を発生させる方法は特に制限されず、力点部と、作用点部との距離を縮小させる方向に変位力を発生させることが可能であれば、任意の構成を選択可能である。例えば、支点部が屈曲した構成である場合は、前記屈曲部にねじりばねや板ばねに例示されるばねを設けて、これの反発力で付勢することが可能であり、また、支点部の屈曲が大きくない場合、あるいは直線状である場合には、支点部にコイルばねを設けて、伸縮方向に付勢させることが可能である。また、支点部を弾性部材で構成して、それにより反発力を用いて、変位を発生させることも可能である。ここで弾性部材の例としては、プラスチック等の樹脂、金属、木材等が挙げられる。
【００２３】
本発明に係る後頭筋弛緩用具において、支点部を、側頭部を回りこませるよう湾曲して構成した場合は、例えば、支点部にスピーカーを設けて、イヤホン、またはヘッドホンと一体化して構成しても良い。また、支点部に耳栓を設けて、イヤープロテクタと一体化して構成しても良い。また、眼鏡のフレームを支点部または作用点部と結合し、一体として構成しても良い。
【実施例１】
【００２４】
図１に、本発明に係る後頭筋弛緩用具の第一実施例の図を示す。図では頭部の形状に沿って湾曲した支点部（３０）に、力点部（１０）と、作用点部（２０）とが接続されている。また、支点部（３０）の屈曲部には、ねじりばねが設けられ、これにより、作用点部（２０）が付勢する反発力を発生させる。力点部（１０）は外後頭隆起下部への係止を行うため、複数の突起を備えており、これにより頭部からのずれを防止する。また、作用点部（２０）は櫛歯を備えており、使用時に頭髪に固定することが可能である。
【００２５】
図２は、前述した第一実施例と同様の後頭筋弛緩用具を装着した際のイメージ図を示す。図中、力点部（１０）は、使用者の外後頭隆起下部に係止されており、作用点部（２０）は、図の矢印方向に向かって、変位を発生させる。力点部（１０）と、作用点部（２０）が接触する部位の周辺には、後頭筋の起始部と停止部が存在し、本発明に係る用具を装着することにより、後頭筋は弛緩する。支点部（３０）は屈曲している耳介上部において、頭部をはさみ込み、用具が落ちることを防止する。
本実施例においては、支点部３０は、弾性を有するワイヤを用いて力点部１０と作用点部２０を後頭部に支持する構成としている。すなわち、力点部１０については、外後頭隆起下部で左右の耳介間に掛け渡すようにワイヤを装着し、作用点部２０については、頭部の後頭筋起始部を通過して左右の耳介上部間に掛け渡すようにワイヤを装着している。
力点部１０と作用点部２０を支持する（構成する）ワイヤの両端を相互に連結させ、連結端位置をねじりバネ構造とすることにより、作用点部２０に対し後頭筋弛緩方向に頭皮を変位させる負荷を作用させる付勢力が作用するようにしている。
力点部１０を支持するワイヤと、作用点部２０を支持するワイヤを、それぞれの装着位置における頭部の外面形状に合わせて湾曲する形状とし、支点部３０の基端部（ワイヤの端部を連結した位置）を含むワイヤ（支点部３０）全体の弾性力により後頭部を左右から挟み込むようにして用具が装着される。こうして支点部３０は、力点部１０と作用点部２０を頭部に装着させ、作用点部２０に対し後頭筋弛緩方向に頭皮を変位させる負荷を作用させることができる。
【実施例２】
【００２６】
図３は、本発明に係る後頭筋弛緩用具の変形例を装着した第二実施例のイメージ図を示す。図中、作用点部（２０）は、後頭筋より前面に係止され、前頭筋に、力点部に接近する方向の変位を負荷するよう構成されている。前頭筋は後頭筋と接続されているため、他の構成のように作用点部（２０）を後頭部に係止した場合と同様に、後頭筋を弛緩させる効果を奏することが可能となる。この際、作用点部が係止される部位は、眉毛上部であることが望ましく、例えば、前額部の頭髪の生え際付近であることが望ましい。
【実施例３】
【００２７】
図４は、本発明に係る後頭筋弛緩用具の第三実施例の図を示す。本実施例は、支点部は側頭部を回りこむ構成とせず、力点部（１０）と、作用点部（２０）とを後頭部を通して連結するように構成される。支点部（３０）には、コイルばねが設けられ、作用点部（２０）が付勢する変位力を発生させる。
【実施例４】
【００２８】
図５は、本発明に係る後頭筋弛緩用具の第四実施例の図を示す。本実施例は、支点部は側頭部を回りこむ構成とせず、力点部（１０）と、作用点部（２０）とを、2本の部材によって連結するように構成される。支点部（３０）には、それぞれコイルばねが設けられ、作用点部（２０）が付勢する変位力を発生させる。
【実施例５】
【００２９】
図６は、本発明に係る後頭筋弛緩用具の第五実施例の図を示す。本実施例は、力点部（１０）、作用点部（２０）、支点部（３０）が一体として、円または楕円を形成するよう構成される。支点部（３０）を弾性部材で構成し、当該弾性部材の反発力を用いて、作用点（２０）に、力点部に接近させる方向の変位を負荷させる。
【符号の説明】
【００３０】
１０  力点部
２０  作用点部
３０  支点部
【図１】
2016193118.tif 000003
【図２】
2016193118.tif 000004
【図３】
2016193118.tif 000005
【図４】
2016193118.tif 000006
【図５】
2016193118.tif 000007
【図６】
2016193118.tif 000008